Podtech/llm-jp-corpus-v4-ja_patent huggingface dataset:
【手続補正書】
【提出日】平成22年2月17日(2010.2.17)
【手続補正１】
【補正対象書類名】特許請求の範囲
【補正対象項目名】全文
【補正方法】変更
【補正の内容】
【特許請求の範囲】
【請求項１】
リフレクタであって、
（ａ） メッシュ反射表面と、
（ｂ） メッシュ反射表面に取付けられ、メッシュ反射表面に実質的に垂直な方向に重要な成分を有する力をかけることによってメッシュ反射表面を成形する細長い部材の第１の組とを備え、細長い部材のうちの少なくとも１つは圧縮力をかけることができる、リフレクタ。
【請求項２】
力によって、逆の湾曲の領域を有し得る表面を含む放物線状の表面または任意に成形された表面にメッシュ反射表面を近づけることができる、請求項１に記載のリフレクタ。
【請求項３】
メッシュ反射表面に取付けられ、メッシュ反射表面に沿っておよびメッシュ反射表面の周りに異なる方向に延び、メッシュ反射表面を実質的に平坦な領域に分割する細長い部材の第２の組をさらに含む、請求項１に記載のリフレクタ。
【請求項４】
細長い部材の第２の組は、大きさが等しい平行四辺形の形状の開口を有する前部ネットを形成する実質的に平行な細長い部材の２つのサブセットを含む、請求項３に記載のリフレクタ。
【請求項５】
メッシュリフレクタ表面の外側境界に沿って延びる細長い部材の第２の組の第３のサブセットをさらに含む、請求項３に記載のリフレクタ。
【請求項６】
実質的に平行な細長い部材の２つのサブセットは、絶えず調節可能な結び目を有するビーズを介して、メッシュリフレクタ表面の外側境界に沿って延びる細長い部材の第３のサブセットに取付けられる、請求項４に記載のリフレクタ。
【請求項７】
細長い部材の２つのサブセットは、２つの実質的に直交する方向に走っており、大きさが等しい長方形の形状の開口を有するネットを形成する、請求項４に記載のリフレクタ。
【請求項８】
張力のみの部材および／または張力／圧縮部材のうちの１つ以上の遠位端は、反射表面の後部側に配置された、予め張力をかけられたカテナリの形状の弦の組（後部カテナリ）に対して作用し、リフレクタ構造の一部を形成するリブの間に広がっている、請求項１に記載のリフレクタ。
【請求項９】
後部カテナリは、端縁が前部ネットを形成する弦に実質的に平行であり、前部ネットを形成する弦とおよそ同じ間隔を有する状態で、同心の正方形の組、長方形の組または平行四辺形の組に近づけるように配置される、請求項８に記載のリフレクタ。
【請求項１０】
後部カテナリは、屈曲部から作られたばねによって構造リブに接続される、請求項８に記載のリフレクタ。
【請求項１１】
少なくとも１つの屈曲部は、線形に幅が異なる曲げセクションを含む、請求項１０に記載のリフレクタ。
【請求項１２】
少なくとも１つの屈曲部は、ｕ字型の接着セクションを含む、請求項１０に記載のリフレクタ。
【請求項１３】
傘スタイルのリフレクタであって、
（ａ） メッシュ反射表面と、
（ｂ） メッシュ反射表面の後ろに位置する中心ハブと、
（ｃ） 内側端部における断面が周方向の寸法と比較して軸方向に実質的に長い寸法を有する、実質的に放射状の細長いリブの組と、
（ｄ） 中心ハブを放射状の細長いリブの近い端縁に接続する複合カーペンタテープスタイルの一体型ヒンジの組と、
（ｅ） 上端、下端および中間回動ポイントを有する回動アームの組とを備え、回動ポイントは放射状の細長いリブの外側端部に取付けられ、上端はメッシュリフレクタ表面に取付けられ、下端は放射状弦の組およびばね部材の組によって中心ハブに取付けられる、傘スタイルのリフレクタ。
【請求項１４】
放射状の細長いリブの内側端部の断面の寸法をより長くすることによってもたらされるより大きな軸方向の距離によってまたは軸方向の距離に対応して分離される２組またはそれ以上の組の積層されたカーペンタテープを備える、請求項１３に記載の傘スタイルのリフレクタ。
【請求項１５】
カーペンタテープスタイルの一体型ヒンジの組はすべて同じ方向に向いており、前記ヒンジの後部の組の長さは、カーペンタテープスタイルの一体型ヒンジの前部の組の長さよりも短い、請求項１４に記載の傘スタイルのリフレクタ。
【請求項１６】
ばね部材は、線形に幅が異なる片持ち梁式プレートである、請求項１３に記載の傘スタイルのリフレクタ。
【請求項１７】
展開行程の終わりの過剰な衝撃力を回避するように、請求項１７に記載の傘スタイルのリフレクタのリブの展開速度を制御する方法。
【請求項１８】
速度制御は、歯車比が高い歯車列を介して取付けられたモータの後方駆動で達成される、請求項１７に記載の方法。
【請求項１９】
すべてのリブが十分な展開位置に実質的に同時に到達するように、請求項１３に記載の傘スタイルのリフレクタのリブの展開速度を調整する方法。
【請求項２０】
弦／締め綱が実質的に等しい長さを有する状態ですべてのリブが１つの中央機構に接続される、請求項１３に記載の傘スタイルのリフレクタのリブの展開速度を調整する方法。
【請求項２１】
リフレクタであって、
メッシュ反射表面と、
メッシュ反射表面に隣接し、かつ、メッシュ反射表面と接触する支持構造とを備え、
メッシュ反射表面は、実質的に凹状の全体的な形状と、実質的に凸状の湾曲を有する少なくとも１つの領域とを含む、リフレクタ。
【手続補正２】
【補正対象書類名】明細書
【補正対象項目名】００６４
【補正方法】変更
【補正の内容】
【００６４】
荷重に大きな差があるために、大きさ（および向き）が異なる２つの屈曲部も用いることができる。したがって、表面シートとクリップ１２６との間、およびリブのハニカムコアとハニカムコアの表面シートとの間の接着部における引張り応力を低減するために、重量のある屈曲クリップ１２６（図１８および図１９）を（弦のスパンに対して）各リブ５６の遠い側に置いてもよい。片持梁セクション１２０および１２８の幅が先細りになっている理由は、各片持梁セクション１２０および１２８の長さに沿ってほぼ一定の曲げ応力を与え、したがって、屈曲クリップ１１８および１２６の重量を最小限に抑え、可撓性を最大にするためである。また、接着セクション１２２がＵ字型である理由は、片持梁セクション１２０の根元付近で発生する（軽量のクリップ１１８についての）剥離応力を最小限に抑えるためである。最後に、可撓性クリップを用いて弦をリブに取付ける理由は、システム（弦＋クリップ）における事前の伸びが確実に弦の伸長よりもはるかに大きくなるようにすることによって（熱膨張またはクリープに起因する）弦の伸長／収縮に対する後部カテナリシステムの張力の感度を低減するためであり、屈曲部の撓みが、弦の張力を測定するための、および時間の経過に伴う張力のいずれの変化も観察するための便利な手段を提供するためである。
【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
通信ネットワーク内の発信点と着信点の間の所与の予約に関するリソース要求を受信するステップと、
前記予約のための経路が利用可能であるかどうか、および前記予約のために必要な帯域幅が利用可能であるかどうかを決定するために、所与の領域向けの中央コントローラによってその領域に関する前記要求を処理するステップと、
前記経路および前記帯域幅が利用可能である場合、前記所与の領域内の前記予約を確認し、前記予約要求を、前記予約要求を満たすために要求されるリソースを有する次の領域向けのもう１つの中央コントローラに引き渡すステップと
を含む、複数の領域を有する通信ネットワーク内のリソース管理のための方法。
【請求項２】
予約要求が、要求に関する識別と、前記予約に関する発信終点および着信終点と、前記予約に関するポリシー要求のセットおよび要求される帯域幅とを含む、請求項１に記載の方法。
【請求項３】
前記予約の前記発信点と前記着信点の間の経路内の各中央コントローラが、前記予約要求に関する状態を維持する、請求項１に記載の方法。
【請求項４】
前記予約の前記発信点と前記着信点の間の経路内の１つだけの終端中央コントローラが、前記予約要求に関する状態を維持する、請求項１に記載の方法。
【請求項５】
前記予約の前記発信点と前記着信点の間の経路内の各終端中央コントローラが、前記要求の前記発信点と前記着信点の間の点に収斂する前記予約要求に関する状態を維持し、各中央コントローラの状態情報が次いで共有される、請求項５に記載の方法。
【請求項６】
複数の領域を有する通信ネットワーク内のリソース管理のための装置であって、前記リソース管理が全領域ベースで達成されており、
前記ネットワーク内の発信点と着信点の間の所与の予約に関するリソース要求を受信するために動作可能なコントローラを含み、
前記コントローラが、前記予約のための経路が利用可能であるかどうか、および前記予約のために必要な帯域幅が利用可能であるかどうかを決定するために、所与の領域に関してさらに動作可能であり、
前記経路および前記帯域幅が利用可能である場合、前記所与の領域内の前記予約を確認して、前記予約要求を、前記予約要求を満たすために要求されるリソースを有する次の領域向けのもう１つのコントローラに引き渡す、装置。
【請求項７】
前記コントローラが、要求に関する識別と、前記予約に関する発信終点および着信終点と、前記予約に関するポリシー要求のセットおよび要求される帯域幅とを含む予約要求を処理するように動作可能である、請求項６に記載の装置。
【請求項８】
前記予約の前記発信点と前記着信点の間の経路内の各中央コントローラが、前記予約要求に関する状態を維持する、請求項６に記載の装置。
【請求項９】
前記予約の前記発信点と前記着信点の間の経路内の１つだけの終端中央コントローラが、前記予約要求に関する状態を維持する、請求項６に記載の装置。
【請求項１０】
前記予約の前記発信点と前記着信点の間の経路内の各終端中央コントローラが、前記要求の前記発信点と前記着信点の間の点に収斂する前記予約要求に関する状態を維持し、各中央コントローラの状態情報が次いで共有される、請求項９に記載の装置。
【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
ユーザの一連のウェブ・サービスへのログオンを実行するステップと、
前記ログオンの受け入れに応答してユーザ・インターフェースを出力するステップとを具備し、前記ユーザ・インターフェースは、
各々が異なるシナリオを有する複数のシナリオ部分と、
前記複数のシナリオ部分に対応する複数のオーバーレイ部分と
を含み、前記複数のオーバーレイ部分が、前記一連のウェブ・サービスとの相互作用をカスタマイズするためにユーザによってカスタマイズ可能であり、前記複数のオーバーレイ部分の各々は、前記複数のシナリオ部分のうちのそれぞれのシナリオ部分の上に提供される拡張された半透明の表示であり、前記複数のオーバーレイ部分の各々は、前記それぞれのシナリオ部分から、初期サイズから拡張サイズまでアニメートする方法。
【請求項２】
前記複数のオーバーレイ部分の少なくとも１つは、前記一連のウェブ・サービスを介してユーザによって実行された以前のアクションを含む請求項１に記載の方法。
【請求項３】
前記オーバーレイ部分の少なくとも１つは、前記一連のウェブ・サービスと、前記一連のウェブ・サービスを検索するためのテキストを受け取るように構成される検索部分との表現を含み、
前記一連のウェブ・サービスの前記表現の少なくとも１つは、それぞれのウェブ・サービスへとナビゲートするために選択可能である請求項１に記載の方法。
【請求項４】
前記複数のオーバーレイ部分の少なくとも１つは、前記一連のウェブ・サービスと相互作用しているユーザの１つ又は複数の外部表現を記述し、前記外部表現は前記ユーザのペルソナに関連付けられる請求項１に記載の方法。
【請求項５】
一連のウェブ・サービスへユーザをログオンするための証明書を含む通信を形成するステップと、
複数の部分を有するユーザ・インターフェースを出力するステップとを具備し、前記複数の部分の各々は、初期サイズから拡張サイズまでアニメートし、少なくとも１つの前記拡張サイズの部分は、複数の前記ウェブ・サービスについての表現を含み、前記ウェブ・サービスのうち２つ又はそれ以上を検索するためのテキストを受け取るように構成され，前記複数の部分のうちの１つは、ユーザ表現部分が前記初期サイズである場合の前記ユーザの表現を含む、ユーザ表現部分であり、前記表現及び追加のデータは、前記ユーザ表現部分が前記拡張サイズである場合に前記ユーザの外部表現をネットワークユーザを介して他のユーザへ提供するために使用される方法。
【請求項６】
前記複数の部分のうち１つ又は複数がオーバーレイを使用することによりユーザによってカスタマイズ可能であり、前記オーバーレイは前記複数の部分のうち前記１つ又は複数に関連付けられたマウス・クリック入力又はカーソルの停止によりアクティブにされる請求項５に記載の方法。
【請求項７】
前記複数のウェブ・サービスの前記表現の少なくとも１つは、前記対応するウェブ・サービスを利用して実行可能なアクションのオーバーレイを出力するために選択可能である請求項５に記載の方法。
【請求項８】
前記ユーザ・インターフェースは、ユーザによって選択可能な追加コンテンツの表現を有するオーバーレイ表示を出力して、前記複数の部分の少なくとも一部の表示を維持する間、前記追加コンテンツを前記ユーザ・インターフェースに含めるように構成される請求項５に記載の方法。
【請求項９】
前記拡張サイズの部分は、それぞれの初期サイズの部分の上の半透明のオーバーレイ表示として表示することができる請求項５に記載の方法。
【請求項１０】
サーバのネットワークを介して利用可能とされる複数のウェブ・サービスへのユーザ・アクセスを提供する方法であって、
複数のシナリオ部分を第１のサイズで表示させるステップであって、前記複数のシナリオ部分はタイトル又は画像のうち少なくとも１つを含む、ステップと、
前記複数のシナリオ部分のうち関連付けられたシナリオ部分に関連する少なくとも１つの拡張された部分を表示させるステップであって、前記拡張された部分は半透明であり、関連付けられたシナリオ部分とともに第２のサイズで表示され、前記拡張された部分は前記関連付けられたシナリオ部分を表す情報を含み、少なくとも１つの拡張された部分は前記第１のサイズから前記第１のサイズより大きな第２のサイズまでアニメートする、ステップと、
前記複数のシナリオ部分を表示し続けている間、前記少なくとも１つの拡張された部分を介してウェブ・サービス及びウェブ検索エンジンへのアクセスを提供するステップと
を含む方法。
【請求項１１】
ウェブ・サービスへのアクセスの提供は、前記少なくとも１つの拡張された部分の前記表示の少なくとも一部が維持されている間、選択されるとオーバーレイ表示を介して前記ウェブ・サービスに関連する情報を表示する、選択可能なウェブ・サービスを提供するステップを含む請求項１０に記載の方法。
【請求項１２】
前記複数のシナリオ部分のうちの第２の関連付けられたシナリオ部分に関連する第２の拡張された部分を提供するステップをさらに含み、前記第２の関連付けられたシナリオ部分は、前記ウェブ・サービスにログインされるユーザの表現を含み、前記第２の拡張された部分は前記ユーザの１つ又は複数の外部表現を含む請求項１０に記載の方法。
【請求項１３】
前記複数のシナリオ部分のうちの第３の関連付けられたシナリオ部分に関連する第３の拡張された部分を提供するステップをさらに含み、前記第３の拡張された部分は前記ウェブ・サービスと相互作用しているユーザに対してなされる通信の試行の記述を含む請求項１０に記載の方法。
【請求項１４】
前記記述は前記ユーザが前記ウェブ・サービスからログアウトしていた間になされた通信の試行を記述する請求項１３に記載の方法。
【請求項１５】
前記複数のシナリオ部分のうちの第４の関連付けられたシナリオ部分に関連する第４の拡張された部分を提供するステップをさらに含み、前記第４の拡張された部分は前記ウェブ・サービスから得られる新たなイベントの記述を含む請求項１０に記載の方法。
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
入力パルス列において伝送されたデジタル情報を受信するためのデジタル受信機であって、
タイムスタンプのシーケンスをサンプル・ホールド回路に供給するカウンタ、
該タイムスタンプのシーケンスからタイムスタンプを順次保持するための該サンプル・ホールド回路であって、該入力パルス列からの各パルスによって対応の該タイムスタンプがバッファに記憶されることを可能とする、サンプル・ホールド回路、及び
該バッファに記憶されたタイムスタンプを解析することによって該デジタル情報を特定するためのプロセッサ
からなる受信機。
【請求項２】
請求項１の受信機であって、さらに、前記カウンタに通信可能に結合されたローカルクロックからなる受信機。
【請求項３】
請求項１の受信機であって、さらに、光パルス列を処理するように適合された光論理ゲートからなる受信機。
【請求項４】
請求項１の受信機であって、さらに、電気パルス列を処理するように適合された電気論理ゲートからなる受信機。
【請求項５】
請求項１の受信機において、コントローラが該タイムスタンプ及び該デジタル伝送レートによってタイムスロットの２進値を特定する受信機。
【請求項６】
請求項５の受信機において、ｔｎをｎ番目のパルスの到着時刻、１／Ｔをデジタル伝送レートとして、各タイムスロットがＮ＝ｔｎ／Ｔによって特定されるタイムスロット番号Ｎを含む受信機。
【請求項７】
受信パルスのシーケンスからデータを回復するための方法であって、
該受信パルス内の少なくとも２つのパルスの到着時刻を記録するステップ、
各パルスの該到着時刻をバッファに記憶するステップ、
該到着時刻から該少なくとも２つのパルスの時間的関係を特定するステップ、及び
該パルスの該時間的関係によって特定されたタイムスロットに２進値を割り当てるステップ
からなる方法。
【請求項８】
請求項７の方法において、前記特定するステップ及び割り当てるステップが、さらに、
該少なくとも２つのパルスの第１のパルスに関連する第１の到着時刻を該バッファから抽出するステップ、
該第１の到着時刻を用いて第１のタイムスロット番号を特定するステップ、
該第１のタイムスロット番号に関連するタイムスロットに論理「１」を割り当てるステップ、
該少なくとも２つのパルスの第２のパルスに関連する第２の到着時刻を該バッファから抽出するステップ、
該第２の到着時刻を用いて第２のタイムスロット番号を特定するステップ、
第２のタイムスロット番号に関連するタイムスロットに論理「１」を割り当てるステップ、及び
時間的に該第１のタイムスロットと該第２のタイムスロットの間に位置する各タイムスロットに論理「０」を割り当てるステップからなり、論理「１」が割り当てられたタイムスロットが有効な入力パルスに関連するタイムスロットを表している方法。
【請求項９】
請求項７の方法において、ｔｎをｎ番目のパルスの到着時刻、１／Ｔをデジタル伝送レートとして、各タイムスロットがＮ＝ｔｎ／Ｔによって特定されるタイムスロット番号Ｎを含む方法。
【請求項１０】
入力信号の時間ジッタの耐性を向上する装置であって、
該入力信号内の少なくとも２つのパルスの到着時刻を記録するための手段、
各パルスの該到着時刻をバッファに記憶する手段、
該到着時刻から該少なくとも２つのパルスの時間的関係を特定する手段、及び
該パルスの該時間的関係によって特定されたタイムスロットに２進値を割り当てる手段
からなる装置。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
ネットワーク内のＳＩＰメッセージを優先度付けする方法であって、
該ネットワークにおける１以上の他のサーバから第１の順序でＳＩＰメッセージを受信するステップであって、受信した該ＳＩＰメッセージ（受信ＳＩＰメッセージ）各々が１以上の優先度インジケータを含む、ステップ、及び
該受信ＳＩＰメッセージを該優先度インジケータの１以上に基づいて第２の順序でスケジューリングするステップを備え、該スケジューリングするステップが
該優先度インジケータの１以上に基づいて該受信ＳＩＰメッセージの各々について優先度値を計算するステップ、
計算された該優先度値を該ＳＩＰメッセージに関連付けるステップ、及び
該優先度値に基づいて該受信ＳＩＰメッセージをスケジューリングするステップ
を備え、
さらに、
該スケジューリングされたＳＩＰメッセージを該第２の順序で処理するステップ
からなる方法。
【請求項２】
請求項１記載の方法において、前記受信ＳＩＰメッセージをスケジューリングするステップが、前記受信ＳＩＰメッセージ各々のヘッダフィールドに記憶された優先度インジケータ及びタイムスタンプに基づいて該受信ＳＩＰメッセージをスケジューリングするステップからなる方法。
【請求項３】
請求項１記載の方法において、前記受信ＳＩＰメッセージ各々がサービスのタイプに関連し、前記スケジューリングするステップが、該受信ＳＩＰメッセージに関連するサービスのタイプに基づいて該受信ＳＩＰメッセージを送信のためにスケジューリングするステップからなる方法。
【請求項４】
請求項１記載の方法において、第１のアプリケーションサーバに関連するＳＩＰメッセージに対する該優先度値が、第２のアプリケーションサーバに関連するＳＩＰメッセージに対する該優先度値と異なる方法。
【請求項５】
請求項１記載の方法であって、さらに、
処理された前記ＳＩＰメッセージを前記優先度インジケータに基づいて第３の順序にスケジューリングするステップ、及び
該処理された済ＳＩＰメッセージを該第３の順序で他のサーバへ送信するステップ
からなる方法。
【請求項６】
サーバであって、
ネットワークにおける１以上の他のサーバから第１の順序でＳＩＰメッセージを受信し、該受信したＳＩＰメッセージ（受信ＳＩＰメッセージ）各々が１以上の優先度インジケータを含み、
該受信ＳＩＰメッセージを該優先度インジケータの１以上に基づいて第２の順序でスケジューリングし、該受信ＳＩＰメッセージを第２の順序でスケジューリングすることが、該優先度インジケータの１以上に基づいて該受信ＳＩＰメッセージの各々について優先度値を計算することからなり、計算された優先度値が該ＳＩＰメッセージに関連付けられており、及び
該スケジューリングされたＳＩＰメッセージを該第２の順序で処理する
ように構成されたＳＩＰスケジューリングモジュール
からなるサーバ。
【請求項７】
請求項６記載のサーバであって、ＳＩＰプロキシサーバからなるサーバ。
【請求項８】
請求項６記載のサーバにおいて、前記受信ＳＩＰメッセージ各々に関連する優先度値に基づいて該受信ＳＩＰメッセージに記憶されたタイムスタンプを調整するように構成されたサーバ。
【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
滅菌済みの架橋された生体組織の製造方法であって：
ａ）未加工の生体組織の架橋形成を制御しながら未加工の生体組織を処理して、完全に、部分的に、または最低限架橋された生体組織を生産するための初発の生体組織を生産すること；および、
ｂ）初発の生体組織が、最低限または部分的に架橋された生体組織用である場合、初発の生体組織を滅菌剤およびブロッキング剤を含むブロッキング溶液と接触させて、中間の生体組織を生産し、この中間の生体組織を滅菌剤を含む滅菌溶液と接触させて、最低限または部分的に架橋された生体組織を生産すること；または、
初発の生体組織が、完全に架橋された生体組織用である場合、初発の生体組織を滅菌剤を含む滅菌溶液と接触させて、完全に架橋された生体組織を生産すること、
を含む、上記方法。
【請求項２】
前記滅菌溶液が、実質的にブロッキング剤を含まない、請求項１に記載の方法。
【請求項３】
前記架橋形成を制御することは、未加工の生体組織を、架橋剤、カップリング剤、および、カップリング促進剤を含む架橋形成用溶液と接触させることを含む、請求項１に記載の方法。
【請求項４】
前記架橋剤がアルカンジアミンであり、前記カップリング剤がカルボジイミドであり、前記カップリング促進剤が、Ｎ−ヒドロキシスクシンイミド（ＮＨＳ）、または、Ｎ−ヒドロキシスルホスクシンイミド（スルホ−ＮＨＳ）である、請求項３に記載の方法。
【請求項５】
前記アルカンジアミンがヘキサンジアミンであり、前記カップリング剤が、１−エチル−３−ジメチルアミノプロピルカルボジイミド（ＥＤＣ）であり、前記カップリング促進剤が、スルホ−ＮＨＳである、請求項４に記載の方法。
【請求項６】
前記滅菌溶液が、滅菌剤としてＥＤＣを含む、請求項１に記載の方法。
【請求項７】
前記未加工の生体組織が、哺乳動物の軟部組織および骨からなる群より選択される、請求項１に記載の方法。
【請求項８】
前記未加工の生体組織が、真皮、心膜、腱、靭帯、再生コラーゲンの足場、および、脱灰骨からなる群より選択される、請求項７に記載の方法。
【請求項９】
前記未加工の生体組織が、ヒト、ブタ、ウマ、ウシ、ヒツジ、ヤギ、イヌ、または、ネコの源から得られる、請求項９に記載の方法。
【請求項１０】
前記ブロッキング溶液が、浸透促進剤を含む、請求項１に記載の方法。
【請求項１１】
前記浸透促進剤が、低級アルカノールである、請求項１０に記載の方法。
【請求項１２】
前記低級アルカノールが、イソプロパノールである、請求項１１に記載の方法。
【請求項１３】
請求項１に記載の方法によって作製された、滅菌済みの完全に架橋された生体組織。
【請求項１４】
請求項１に記載の方法によって作製された、滅菌済みの部分的に架橋された生体組織。
【請求項１５】
請求項１に記載の方法によって作製された、滅菌済みの最低限架橋された生体組織。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
HLA-A遺伝子またはその中のエクソン2または3を増幅するためのプライマーであって、
前記HLA-Aプライマーが配列番号14−15に示す配列を有し、前記HLA-Aエクソン2プライマーが配列番号20−21に示す配列を有し、前記HLA-Aエクソン3プライマーが配列番号22−26に示す配列を有することを特徴とするプライマー。
【請求項２】
HLA-B遺伝子またはその中のエクソン2または3を増幅するためのプライマーであって、
前記HLA-Bプライマーが配列番号16−19に示す配列を有し、前記HLA-Bエクソン2プライマーが配列番号27−28に示す配列を有し、前記HLA-Bエクソン3プライマーが配列29−31に示す配列を有することを特徴とするプライマー。
【請求項３】
HLA-DRB1遺伝子またはその中のエクソン2を増幅するためのプライマーであって、
前記HLA-DRB1プライマーが配列番号32−37に示す配列を有し、前記HLA-DRB1エクソン2プライマーが配列番号38−47に示す配列を有することを特徴とするプライマー。
【請求項４】
HLA遺伝子内の一塩基多型（SNP）を検出するためのハイブリダイゼーションプローブであって、
前記SNPを含む、HLA-Aエクソン2またはエクソン3、HLA-Bエクソン2またはエクソン3、またはHLA-DRB1エクソン2内に位置する領域に相補的な9−15残基のオリゴヌクレオチドと、
5’末端及び3’末端オリゴチミジンまたはオリゴチミジン様ポリアニオン系ポリマーのフランキング配列と、
を含むことを特徴とするプローブ。
【請求項５】
前記HLA-Aエクソン2プローブが配列番号48−49に示す配列を有し、前記HLA-Aエクソン3プローブが配列番号100−153に示す配列を有し、前記HLA-Bエクソン2プローブが配列番号154−237に示す配列を有し、前記HLA-Bエクソン3プローブが配列番号238−239に示す配列を有することを特徴とする請求項４記載のハイブリダイゼーションプローブ。
【請求項６】
陽イオン性表面を有する基材と、
吸着された、１つ以上の請求項４記載のハイブリダイゼーションプローブを含む、単分子層と、
を有してなる、
HLA遺伝子の対立遺伝子タイピング用のマイクロアレイ装置。
【請求項７】
前記陽イオン性表面が、アミノシラン、グアニジニウム、酸化スズ、酸化アルミニウム、または酸化ジルコニウム、あるいは、他の同等の荷電部分を含むことを特徴とする請求項６記載のマイクロアレイ装置。
【請求項８】
前記基材がガラス、プラスティック、または金属であることを特徴とする請求項６記載のマイクロアレイ装置。
【請求項９】
前記ハイブリダイゼーションプローブとともに共吸着された20から40のチミジンを有するオリゴチミジン、
前記オリゴチミジンに結合した蛍光色素、または
キャップ剤
のうち１つ以上をさらに含むことを特徴とする請求項６記載のマイクロアレイ装置。
【請求項１０】
HLA遺伝子を増幅するための、配列番号14−47の遺伝子特異的プライマーと、
請求項１１記載のマイクロアレイ装置と、
随意的に、PCR反応用の緩衝剤及びポリメラーゼ、及び／または蛍光色素と、
を含む、集団HLA遺伝子タイピング用のキット。
【請求項１１】
フィールド環境における即時ハイスループット集団HLA対立遺伝子タイピング用の携帯可能なシステムであって、
請求項６記載のマイクロアレイ装置と、
集団を構成する個人から得られた口腔洗浄または口腔綿サンプル、または血液サンプルからDNAを回収及び精製するのに適した容器と、
前記回収したDNAから１つ以上の対象とするHLA-A、HLA-BまたはHLA-DRB1遺伝子のcRNA標的アンプリコンをPCRによって生成するためのHLA遺伝子特異的プライマーと、
前記吸着されたハイブリダイゼーションプローブに前記標的をハイブリダイゼーションした後に、前記マイクロアレイ装置上に形成されるハイブリダイゼーションパターンを検出するのに適合した画像化装置と、
前記画像化されたハイブリダイゼーションパターンをHLA対立遺伝子型として認識するのに適合したアルゴリズム集を含むパターン認識ソフトウェアと
を有してなり、
前記システムが、携帯可能であって、フィールド環境で即時操作可能であることを特徴とする、
システム。
【請求項１２】
前記遺伝子特異的プライマーが配列番号14−47に示す配列を有し、前記ハイブリダイゼーションプローブが配列番号48−289に示す配列を有することを特徴とする請求項１１記載のシステム。
【請求項１３】
フィールド環境における即時集団HLA対立遺伝子タイピングの方法であって、
遺伝子特異的プライマーを用いて、前記集団の一人以上の構成員から得られた対象とするHLA遺伝子の精製DNAから標的アンプリコンを生成し、
請求項６〜９いずれか１項記載のマイクロアレイ装置を構成する前記ハイブリダイゼーションプローブを前記標的と接触させ、
前記接触後に形成される、ハイブリダイゼーションパターンを画像化し、
随意的に、前記DNAを保存する、
各工程を有してなり、
ここで、各HLA対立遺伝子型はそれに関連するパターンを有し、前記HLA対立遺伝子型が前記集団の構成員を特定する手段を含むことを特徴とする、
方法。
【請求項１４】
前記遺伝子特異的プライマーが配列番号14−47に示す配列を有し、前記ハイブリダイゼーションプローブが配列番号48−289に示す配列を有することを特徴とする請求項１３記載の方法。
【請求項１５】
決定された対立遺伝子型に基づいて、前記集団の各構成員の生物剤または兵器による感染リスクを評価する工程、及び／または、前記集団の各構成員の生物剤または兵器に対する特定のワクチンに対する応答を評価する工程をさらに含むことを特徴とする請求項１３記載の方法。
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
a) 対象から得られた試料中のArntl2遺伝子の発現レベルを決定し；
b) (a)において決定されたArntl2遺伝子の発現レベルを、前記対象が属する個体群から得られた対応する型の試料中のArntl2遺伝子の平均発現レベルと比較する
ことを含み、前記対象でのArntl2遺伝子の発現レベルがArntl2遺伝子の平均発現レベルよりも低いことが、進行性インスリン依存性糖尿病における感受性の増加に相関する、対象の進行性インスリン依存性糖尿病に対する感受性を決定する方法。
【請求項２】
前記対象がヒトである請求項1に記載の方法。
【請求項３】
前記Arntl2遺伝子が、配列番号3の配列と少なくとも90%相同である請求項1又は2に記載の方法。
【請求項４】
前記Arntl2遺伝子が、配列番号3の配列と少なくとも95%相同である請求項1〜3のいずれか1項に記載の方法。
【請求項５】
前記試料が、脾細胞を含む請求項1〜4のいずれか1項に記載の方法。
【請求項６】
前記脾細胞が、CD4(+) T細胞、CD8(+) T細胞、B細胞及びマクロファージからなる群より選択される少なくとも1つの型である請求項5に記載の方法。
【請求項７】
a) 糖尿病感受性NODマウスから対照試料を得て；
b) 前記対照試料中のArntl2遺伝子の発現レベルを決定し；
c) 前記糖尿病感受性NODマウスに少なくとも1つの候補化合物を投与し；
d) 前記投与の後に、前記糖尿病感受性NODマウスから試験試料を得て；
e) 前記試験試料中のArntl2遺伝子の発現レベルを決定し；
f) (b)で決定されたArntl2遺伝子の発現レベルを、(e)で決定されたものと比較する
ことを含み、(b)と比較した(e)でのArntl2遺伝子の発現レベルの増加が、インスリン依存性糖尿病耐性の増加に相関する、必要とする対象におけるインスリン依存性糖尿病の治療又は予防に有効な化合物を同定する方法。
【請求項８】
前記対照試料が、前記糖尿病感受性NODマウスの脾臓から得られる請求項7に記載の方法。
【請求項９】
前記試験試料が、前記糖尿病感受性NODマウスの脾臓から得られる請求項8に記載の方法。
【請求項１０】
前記対照試料が、前記糖尿病感受性NODマウスの胸腺から得られる請求項7に記載の方法。
【請求項１１】
前記試験試料が、前記糖尿病感受性NODマウスの胸腺から得られる請求項10に記載の方法。
【請求項１２】
前記Arntl2遺伝子が、配列番号1の配列と少なくとも90%相同である請求項7〜11のいずれか1項に記載の方法。
【請求項１３】
前記Arntl2遺伝子が、配列番号1の配列と少なくとも95%相同である請求項7〜12のいずれか1項に記載の方法。
【請求項１４】
前記試料が、CD4(+) T細胞、CD8(+) T細胞、B細胞及びマクロファージからなる群より選択される少なくとも1つの型の脾細胞を含む請求項7〜13のいずれか1項に記載の方法。
【請求項１５】
前記決定が、定量PCRを含む請求項7〜14のいずれか1項に記載の方法。
【請求項１６】
前記定量PCRが、配列番号11及び配列番号12で表されるプライマー対を用いる請求項15に記載の方法。
【請求項１７】
前記定量PCRが、配列番号13及び配列番号14で表されるプライマー対を用いる請求項15に記載の方法。
【請求項１８】
前記定量PCRが、配列番号31及び逆相補配列の配列番号32により表されるプライマー対を用いる請求項15に記載の方法。
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
５’ＴＬＲ活性化ドメインおよび少なくとも二つのパリンドローム領域を含む免疫賦活オリゴヌクレオチドであって、一つのパリンドローム領域が少なくとも６ヌクレオチド長の５’パリンドローム領域でありかつ直接的またはスペーサーを通じてのいずれかにより少なくとも８ヌクレオチド長の３’パリンドローム領域に接続されており、当該オリゴヌクレオチドは少なくとも一つのＹｐＲジヌクレオチドを含み、かつ当該オリゴヌクレオチドは
Ｔ*Ｃ＿Ｇ*Ｔ*Ｃ＿Ｇ*Ａ*Ｃ＿Ｇ*Ｔ*Ｔ*Ｃ＿Ｇ*Ｇ*Ｃ*Ｇ*Ｃ＿Ｇ*Ｃ*Ｇ*Ｃ*Ｃ*Ｇ（配列
番号３３５）
ではない、免疫賦活オリゴヌクレオチド。
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
座席の段と、
前記座席の段を実質的に取り巻くスクリーンと、
前記座席を移動するために前記座席に取り付けられた座席移動アクチュエータと、
前記スクリーンに動画を投影するように配置された少なくとも１つのプロジェクタと、
前記座席移動アクチュエータ及び前記プロジェクタにリンクされて、動画を前記座席の移動と整合させるためのコントローラと、
を備えた劇場。
【請求項２】
前記スクリーンは、前記移動ベースとは独立しており、前記スクリーンは、上昇位置と下降位置との間で垂直方向に移動可能である、請求項１に記載の劇場。
【請求項３】
前記座席は、段で設けられ、前記座席の段は、前記移動ベース上にカーブした行で配列される、請求項１に記載の劇場。
【請求項４】
前記座席は、半径方向内方を向いている、請求項１に記載の劇場。
【請求項５】
前記座席は、半径方向外方を向いている、請求項１に記載の劇場。
【請求項６】
前記スクリーンに実質的にシームレスの縁混合映像を与えるように配列された複数の２Ｄ及び／又は３Ｄプロジェクタを更に備えた、請求項１に記載の劇場。
【請求項７】
前記劇場の中心位置の付近にプロジェクタを更に備え、該プロジェクタは、前記スクリーンへ半径方向外方に映像を投影する、請求項１に記載の劇場。
【請求項８】
前記スクリーンは、カーブしていて、実質的に連続的に座席を取り巻く、請求項１に記載の劇場。
【請求項９】
前記スクリーンを垂直方向に持ち上げ及び下降するためのスクリーンリフタを更に備えた、請求項１に記載の劇場。
【請求項１０】
前記座席は、回転可能な座席フレームに支持される、請求項１に記載の劇場。
【請求項１１】
移動ベースに支持された座席に個人を着座させるステップであって、個人が、彼らを少なくとも部分的に取り巻いて延びるカーブしたスクリーンを向くようにするステップと、
前記スクリーンに動画映像を投影するステップと、
前記投影された動画映像と同期して前記移動ベースを移動するステップと、
を備えた方法。
【請求項１２】
前記座席の上の第１位置から、スクリーンが個人を少なくとも部分的に取り巻いて延びる位置へと前記スクリーンを移動するステップを更に備えた、請求項１１に記載の方法。
【請求項１３】
前記スクリーン及び個人を互いに回転させるステップを更に備えた、請求項１１に記載の方法。
【手続補正書】
【提出日】平成22年2月26日(2010.2.26)
【手続補正１】
【補正対象書類名】特許請求の範囲
【補正対象項目名】請求項１
【補正方法】変更
【補正の内容】
【請求項１】
栄養生理学的に有効な成分として、少なくとも１のグアニジノ酢酸成分を含む、工業的に製造された貯蔵安定性の、ペット用の完成飼料。
【手続補正２】
【補正対象書類名】特許請求の範囲
【補正対象項目名】請求項２
【補正方法】変更
【補正の内容】
【請求項２】
とりわけ缶詰飼料、ペレット、顆粒、ビスケット、コロッケ、ナゲット、フレーク、またはスナックの形態の乾燥飼料、半湿性飼料、または湿性飼料であることを特徴とする、請求項１に記載の完成飼料。
【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
ヒト細胞を含むｉｎ  ｖｉｔｒｏ細胞培養物であって、該ヒト細胞の少なくとも５％が、ニューロゲニン３（ＮＥＵＲＯＧ３）、ペアードボックス４（ＰＡＸ４）及びＮＫＸ２転写因子関連遺伝子座２（ＮＫＸ２．２）から成る群から選択されるマーカーを発現するヒト内分泌前駆細胞である、細胞培養物。
【請求項２】
前記ヒト内分泌前駆細胞が、ニューロゲニン３（ＮＥＵＲＯＧ３）、ペアードボックス４（ＰＡＸ４）及びＮＫＸ２転写因子関連遺伝子座２（ＮＫＸ２．２）を発現する、請求項１に記載のｉｎ  ｖｉｔｒｏ細胞培養物。
【請求項３】
前記ヒト細胞の少なくとも約１０％が内分泌前駆細胞である、請求項１に記載のｉｎ  ｖｉｔｒｏ細胞培養物。
【請求項４】
前記ヒト細胞の少なくとも約５０％が内分泌前駆細胞である、請求項１に記載のｉｎ  ｖｉｔｒｏ細胞培養物。
【請求項５】
前記内分泌前駆細胞が、グレリン、インスリン、ソマトスタチン及びグルカゴンからなる群から選択される膵島ホルモンを実質的に発現しない、請求項１〜４の何れか１項に記載のｉｎ  ｖｉｔｒｏ細胞培養物。
【請求項６】
前記内分泌前駆細胞が非組み換え細胞である、請求項１〜５の何れか１項に記載のｉｎ
ｖｉｔｒｏ細胞培養物。
【請求項７】
更に、レチノイドを含有する、請求項１〜６の何れか１項に記載のｉｎ  ｖｉｔｒｏ細胞培養物。
【請求項８】
（ａ）ヒト多能性細胞を有する細胞集団を得る工程と、
（ｂ）前記ＴＧＦ−βスーパーファミリーの増殖因子を前記細胞集団に供給し、それにより胚体内胚葉細胞を産生する工程と、
（ｃ）前記細胞集団からＴＧＦ−βスーパーファミリーを回収する工程と、
（ｄ）レチノイドを前記集団に供給し、それによりヒトＰＤＸ１陽性膵臓内胚葉細胞を産生する工程と、
（ｅ）ニューロゲニン３（ＮＥＵＲＯＧ３）を発現するヒト内分泌前駆細胞が形成されるのに十分な時間、培養培地で前記細胞集団をインキュベートする工程を含む、
内分泌前駆細胞を製造する方法。
【請求項９】
前記内分泌前駆細胞が、ニューロゲニン３（ＮＥＵＲＯＧ３）、ペアードボックス４（ＰＡＸ４）及びＮＫＸ２転写因子関連遺伝子座２（ＮＫＸ２．２）を発現することを特徴とする、請求項８に記載の方法。
【請求項１０】
工程（c）が、更に前記細胞集団にＦＧＦを供給する方法を含む、請求項８または請求項９に記載の方法。
【請求項１１】
前記レチノイドがレチノイン酸を含有することを特徴とする請求項８〜１０の何れか１項に記載の方法。
【請求項１２】
前記多能性ヒト細胞は非組み換え細胞であることを特徴とする請求項８〜１１の何れか１項に記載の方法。
【請求項１３】
工程（e）が更に前記細胞集団にガンマ−セクレターゼ阻害剤を供給することを含む請求項８〜１２の何れか１項に記載の方法。
【請求項１４】
工程（b）が更に、ウィングレス型ＭＭＴＶ組込部位ファミリー成員３Ａ（Ｗｎｔ３Ａ）を前記細胞集団に供給することを含む請求項８〜１３のいずれか１項に記載の方法。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
コンパクトな細胞凝集物を入手するために、a）真皮乳頭細胞若しくは真皮鞘細胞又はそれらの組合せを浮遊培養で増殖させる工程を含む、真皮乳頭細胞若しくは真皮鞘細胞又はそれらの組合せを凝集させる方法。
【請求項２】
コンパクトな細胞凝集物を入手するために、a）真皮乳頭細胞若しくは真皮鞘細胞又はそれらの組合せを浮遊培養で増殖させる工程、及びb）浮遊培養中の細胞外マトリックスの量を減少させることができる物質の有効量を前記培養と混合する工程を含む、真皮乳頭細胞若しくは真皮鞘細胞又はそれらの組合せを凝集させる方法。
【請求項３】
前記物質がタンパク質である、請求項2に記載の方法。
【請求項４】
前記タンパク質が酵素である、請求項3に記載の方法。
【請求項５】
前記タンパク質が細胞外マトリックスの1つ以上の分子を分解する、請求項3に記載の方法。
【請求項６】
前記酵素の基質が浮遊培養中の細胞外マトリックス分子である、請求項4に記載の方法。
【請求項７】
前記酵素が、ヒアルロニダーゼ、コラゲナーゼ、コンドロイチナーゼ、又はそれらの組合せである、請求項4に記載の方法。
【請求項８】
ヒアルロニダーゼが、約20U/mLから約50U/mLの量で約15日間までの間前記培養と混合される、請求項7に記載の方法。
【請求項９】
ハンギングドロップが、約3、4、5、6、7、8、9、10、11、12、13、14又は15日まで培養される、請求項1又は2に記載の方法。
【請求項１０】
以下の工程を含む、凝集した真皮乳頭細胞若しくは真皮鞘細胞又はそれらの組合せから毛包の形成を促進する方法：
a）真皮乳頭細胞若しくは真皮鞘細胞又はそれらの組合せを浮遊培養で増殖させる工程；
b）ヒアルロニダーゼを前記培養と約1日から約15日間混合してコンパクトな凝集した真皮乳頭細胞又は真皮鞘細胞を生じる工程；及び
c）前記培養を十分な時間増殖させて毛包を形成する工程。
【請求項１１】
浮遊培養が可溶性因子を含む、請求項1、2又は10に記載の方法。
【請求項１２】
浮遊培養がハンギングドロップ培養である、請求項1、2又は10に記載の方法。
【請求項１３】
ハンギングドロップ培養が約9,000未満の細胞、約7,000未満の細胞、約5,000未満の細胞又は約3,000未満の細胞を含む、請求項12に記載の方法。
【請求項１４】
培養がさらに上皮細胞を含む、請求項1、2又は10に記載の方法。
【請求項１５】
上皮細胞が毛包細胞又は皮膚細胞に由来する、請求項14に記載の方法。
【請求項１６】
上皮細胞がケラチノサイトである、請求項14に記載の方法。
【請求項１７】
ヒアルロニダーゼが、約20U/mL培養液から約50U/mL培養液の量で混合される、請求項10に記載の方法。
【請求項１８】
ヒアルロニダーゼが、Hyal-1、Hyal-2、Hyal-3又はそれらの組合せである、請求項7又は10に記載の方法。
【請求項１９】
ハンギングドロップ培養が24時間又は48時間培養される、請求項12に記載の方法。
【請求項２０】
工程（c）の増殖が少なくとも24時間である、請求項10に記載の方法。
【請求項２１】
前記浮遊培養が、誘導性マーカー遺伝子の発現が低下するまで培養される、請求項1、2又は10に記載の方法。
【請求項２２】
誘導性マーカー遺伝子が、Wnt10b、WISE、ヴァーシカン、又はそれらの組み合わせを含む、請求項21に記載の方法。
【請求項２３】
可溶性因子が外因的に添加される、請求項11に記載の方法。
【請求項２４】
前記可溶性因子が、請求項10の工程（c）の増殖培養に添加される、請求項11に記載の方法。
【請求項２５】
前記可溶性因子が、約5ng/mL培養液から約300ng/mL培養液の量で培養と混合される、請求項11に記載の方法。
【請求項２６】
可溶性因子が、ペリオスチン、フォリスタチン、Wise、Wnt10b、表1及び表2の任意の1つ以上の可溶性因子、又はそれらの任意の組み合わせを含む、請求項11に記載の方法。
【請求項２７】
さらに、Wnt10b、ペリオスチン、フォリスタチン、Wise、表1及び表2に列挙された1つ以上の可溶性因子、又はそれらの任意の組み合わせをコードする核酸を細胞にトランスフェクトする工程を含む、請求項1、2又は10に記載の方法。
【請求項２８】
さらに、毛包を対象者の皮膚に移植する工程を含む、請求項1、2又は10に記載の方法。
【請求項２９】
前記対象者が哺乳動物である、請求項28に記載の方法。
【請求項３０】
前記哺乳動物がヒト、マウス、イヌ、ネコ又はトリである、請求項29に記載の方法。
【請求項３１】
細胞が前記対象者にとって自己由来である、請求項1、2又は10に記載の方法。
【請求項３２】
さらに、コンパクトな細胞凝集物を浮遊後培養に置く工程を含む、請求項1、2又は10に記載の方法。
【請求項３３】
さらに前記毛包を浮遊後培養に置く工程を含むか、又は工程（c）の増殖が浮遊後培養で生じる、請求項10に記載の方法。
【請求項３４】
前記浮遊後培養が生物分解性骨組みを含む、請求項32又は33に記載の方法。
【請求項３５】
前記生物分解性骨組みがアルギネートを含む、請求項34に記載の方法。
【請求項３６】
前記細胞が一次細胞、二次細胞、継代された二次細胞又は細胞株を含む、請求項1、2又は10に記載の方法。
【請求項３７】
前記細胞が哺乳動物由来である、請求項36に記載の方法。
【請求項３８】
前記哺乳動物がヒト、マウス、イヌ、ネコ、ウマ、ウシ又はトリである、請求項37に記載の方法。
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
（ａ）プロモーター；および
（ｂ）プロモーターと動作可能なように連結されている核酸
を含むポリヌクレオチドであって，ここで核酸は，
（ｉ）配列番号３８の少なくとも最初の５９アミノ酸残基を含み，配列番号３８の最初の３８０アミノ酸より短く，ここで、配列番号３８の最初のアミノ酸残基はバリンであるか，または配列番号３８の最初のアミノ酸残基はメチオニンで置換されている改変型ＡｃｔＡ；および
（ｉｉ）異種抗原
を含む融合蛋白質をコードする，
ことを特徴とするポリヌクレオチド。
【請求項２】
改変型ＡｃｔＡは，配列番号３８のアミノ酸１−１００を含み，ここで，配列番号３８の最初のアミノ酸残基はバリンであるか，または配列番号３８の最初のアミノ酸残基はメチオニンで置換されている，請求項１に記載のポリヌクレオチド。
【請求項３】
改変型ＡｃｔＡは，コフィリンホモロジー領域（ＫＫＲＲ）（配列番号２３），およびリン脂質コア結合ドメイン（ＫＶＦＫＫＩＫＤＡＧＫＷＶＲＤＫＩ）（配列番号２０）からなる群より選択される少なくとも１つのドメインの、ドメイン中の不活性化変異，ドメインの欠失，またはドメインの前でのトランケーションを含む，請求項１に記載のポリヌクレオチド。
【請求項４】
改変型ＡｃｔＡは，ＡｃｔＡの４つすべてのプロリンリッチドメイン（ＦＰＰＰＰ，ＦＰＰＰＰ，ＦＰＰＰＰ，ＦＰＰＩＰ）（配列番号２１，配列番号２２）を含む，請求項３に記載のポリヌクレオチド。
【請求項５】
プロモーターはａｃｔＡプロモーターである，請求項１−４のいずれかに記載のポリヌクレオチド。
【請求項６】
異種抗原は，癌細胞，腫瘍，または感染性因子からのものであるかまたはそれに由来する，請求項１−５のいずれかに記載のポリヌクレオチド。
【請求項７】
異種抗原はヒトメソセリンである，請求項６に記載のポリヌクレオチド。
【請求項８】
異種抗原は，そのシグナルペプチド領域，そのＧＰＩアンカー領域，またはそのシグナルペプチドとＧＰＩアンカー領域との両方を欠失したヒトメソセリンの誘導体である，請求項６に記載のポリヌクレオチド。
【請求項９】
異種抗原はヒトＰＳＣＡである，請求項６に記載のポリヌクレオチド。
【請求項１０】
異種抗原は，
（ａ）  そのシグナルペプチド領域の一部または全部；
（ｂ）  そのＧＰＩアンカー領域；または
（ｃ）  そのＧＰＩアンカー領域およびそのシグナルペプチド領域の一部または全部，
を欠失しているヒトＰＳＣＡの誘導体である，請求項６に記載のポリヌクレオチド。
【請求項１１】
請求項１−１０のいずれかに記載のポリヌクレオチドを含むプラスミド。
【請求項１２】
請求項１−１０のいずれかに記載のポリヌクレオチドを含むＬｉｓｔｅｒｉａ細菌。
【請求項１３】
Ｌｉｓｔｅｒｉａ  ｍｏｎｏｃｙｔｏｇｅｎｅである，請求項１２に記載のＬｉｓｔｅｒｉａ細菌。
【請求項１４】
細胞から細胞への拡散，および／または非食細胞中への侵入について減弱化されている，請求項１３に記載のＬｉｓｔｅｒｉａ細菌。
【請求項１５】
ａｃｔＡ欠失変異体またはａｃｔＡ挿入変異体である，請求項１４に記載のＬｉｓｔｅｒｉａ細菌。
【請求項１６】
Ｌｉｓｔｅｒｉａ細菌はそのゲノム中に該ポリヌクレオチドを含む，請求項１２−１５のいずれかに記載のＬｉｓｔｅｒｉａ細菌。
【請求項１７】
該ポリヌクレオチドはゲノム中の病原性遺伝子中にインテグレートされており，ここで，ポリヌクレオチドのインテグレーションは：
（ａ）  病原性遺伝子の発現を混乱させるか；または
（ｂ）  病原性遺伝子のコーディング配列を混乱させる，
ことを特徴とする，請求項１６に記載のＬｉｓｔｅｒｉａ細菌。
【請求項１８】
病原性遺伝子はｐｒｆＡ依存性遺伝子ａｃｔＡまたはｉｎｌＢである，請求項１７に記載のＬｉｓｔｅｒｉａ細菌。
【請求項１９】
請求項１２−１８のいずれかに記載のＬｉｓｔｅｒｉａ細菌を含むワクチン。
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
哺乳類対象における慢性閉塞性肺疾患を処置するための、有効量の式（I）で表される二環式化合物および／またはその互変異性体を含む医薬組成物：
【化１】
2009528259.tif 000001
［式中、
A1およびA2は同じまたは異なるハロゲン原子であり、
Bは−CH3、−CH2OH、−COCH2OH、−COOH、またはその医薬上許容される塩、エーテル、エステルもしくはアミドである］。
【請求項２】
A1およびA2がフッ素原子である、請求項１に記載の組成物。
【請求項３】
Bが−COOHである、請求項２に記載の組成物。